(57)【特許請求の範囲】
【請求項１】
ケーシング（18,101）内に、室内熱交換器（22）と、室内から吸い込んだ空気を該室内側へ吹き出す室内ファン（21）と、該室内ファン（21）の吸込側に設けられるエアフィルタ（30）と、該エアフィルタ（30）の室内側に当接して該エアフィルタに捕捉された塵埃を除去する塵埃除去手段（50）とを備えた空気調和装置の室内ユニットであって、
上記エアフィルタ（30）の位置付けられる開口（26）が形成された仕切板（25）と、
上記エアフィルタ（30）をエアフィルタ下流側から押さえるように、上記仕切板（25）に接続され上記開口（26）内に設けられた複数の梁部（27）と、
上記複数の梁部（27）のうち少なくとも一つの梁部（120）を補強するための補強部材（123）と、を備え、
上記エアフィルタ（30）は、リブ（36）を有したフィルタ本体（31）と、メッシュ部材（37）とを有していることを特徴とする空気調和装置の室内ユニット。
【請求項２】
請求項１において、
上記少なくとも一つの梁部（120）は、上記開口（26）を横断するように設けられた横断梁部（120）であり、
上記補強部材（123）は、上記横断梁部（120）に取り付けられていることを特徴とする空気調和装置の室内ユニット。
【請求項３】
ケーシング（18,101）内に、室内熱交換器（22）と、室内から吸い込んだ空気を該室内側へ吹き出す室内ファン（21）と、該室内ファン（21）の吸込側に設けられるエアフィルタ（30）と、該エアフィルタ（30）の室内側に当接して該エアフィルタに捕捉された塵埃を除去する塵埃除去手段（50）とを備えた空気調和装置の室内ユニットであって、
上記エアフィルタ（30）の位置付けられる開口（26）が形成された仕切板（25）と、
上記エアフィルタ（30）をエアフィルタ下流側から押さえるように上記開口（26）内に設けられた複数の梁部（27）と、
上記複数の梁部（27）のうち少なくとも一つの梁部（120）を補強するための補強部材（123）と、を備え、
上記少なくとも一つの梁部（120）は、上記開口（26）を横断するように設けられた横断梁部（120）であり、
上記補強部材（123）は、上記横断梁部（120）に取り付けられ、
上記補強部材（123）は、上記横断梁部（120）よりも長く形成されていて、両端部が該横断梁部（120）から突出するように該横断梁部（120）に取り付けられていることを特徴とする空気調和装置の室内ユニット。
【請求項４】
ケーシング（18,101）内に、室内熱交換器（22）と、室内から吸い込んだ空気を該室内側へ吹き出す室内ファン（21）と、該室内ファン（21）の吸込側に設けられるエアフィルタ（30）と、該エアフィルタ（30）の室内側に当接して該エアフィルタに捕捉された塵埃を除去する塵埃除去手段（50）とを備えた空気調和装置の室内ユニットであって、
上記エアフィルタ（30）の位置付けられる開口（26）が形成された仕切板（25）と、
上記エアフィルタ（30）をエアフィルタ下流側から押さえるように上記開口（26）内に設けられた複数の梁部（27）と、
上記複数の梁部（27）のうち少なくとも一つの梁部（120）を補強するための補強部材（123）と、を備え、
上記少なくとも一つの梁部（120）は、上記開口（26）を横断するように設けられた横断梁部（120）であり、
上記補強部材（123）は、上記横断梁部（120）に取り付けられ、
上記エアフィルタ（30）は、円形状であり、
上記横断梁部（120）の長手方向中央部分には、上記エアフィルタ（30）を回転可能に支持する回転支持部（121）が設けられていることを特徴とする空気調和装置の室内ユニット。
【請求項５】
請求項４において、
上記梁部（27）のうち他の梁部（27）は、一端側が上記回転支持部（121）に接続されていて、
上記回転支持部（121）には、上記横断梁部（120）の延伸方向と交差する方向に延びるように補強リブ（122）が設けられていることを特徴とする空気調和装置の室内ユニット。
【請求項６】
ケーシング（18,101）内に、室内熱交換器（22）と、室内から吸い込んだ空気を該室内側へ吹き出す室内ファン（21）と、該室内ファン（21）の吸込側に設けられるエアフィルタ（30）と、該エアフィルタ（30）の室内側に当接して該エアフィルタに捕捉された塵埃を除去する塵埃除去手段（50）とを備えた空気調和装置の室内ユニットであって、
上記エアフィルタ（30）の位置付けられる開口（26）が形成された仕切板（25）と、
上記エアフィルタ（30）をエアフィルタ下流側から押さえるように上記開口（26）内に設けられた複数の梁部（27）と、
上記複数の梁部（27）のうち少なくとも一つの梁部（120）を補強するための補強部材（123）と、を備え、
上記少なくとも一つの梁部（120）には、該梁部（120）の長手方向に延びる溝部（120a）が設けられていて、
上記補強部材（123）は、断面略Ｌ字状に形成され、その一方の壁部（123a）が上記溝部（120a）内に位置付けられるように上記梁部（120）に取り付けられていることを特徴とする空気調和装置の室内ユニット。
【請求項７】
請求項６において、
上記少なくとも一つの梁部は、上記仕切板（25）の開口（26）を横断する横断梁部（120）であり、
上記横断梁部（120）の長手方向中央部分には、平面視で該横断梁部（120）の延伸方向と交差する方向に延びる補強リブ（122）を備えた回転支持部（121）が形成されていて、
上記補強部材（123）は、上記補強リブ（122）に形成された溝部（122a）内に一方の壁部（123a）が位置付けられるように、上記横断梁部（120）に取り付けられていることを特徴とする空気調和装置の室内ユニット。
【請求項８】
請求項１から７のいずれか一つにおいて、
上記補強部材（123）は、上記エアフィルタ（30）をエアフィルタ下流側から押さえるための押さえ部（29）とともに上記少なくとも一つの梁部（120）に取り付けられていることを特徴とする空気調和装置の室内ユニット。
【発明の詳細な説明】
【技術分野】
【０００１】
本発明は、エアフィルタに捕捉された塵埃を除去するように構成された空気調和装置の室内ユニットに関する。
【背景技術】
【０００２】
従来より、空気の吸込口にエアフィルタを備えた空気調和装置の室内ユニットにおいて、該エアフィルタに捕捉された塵埃を除去するための塵埃除去手段を備えたものが知られている。この種の室内ユニットでは、例えば特許文献１、２に開示されるように、エアフィルタに付着した塵埃を塵埃除去手段としての吸引ノズルで吸引するように構成されていたり、塵埃除去手段としてのブラシ部によって塵埃を掻き落とすように構成されている。
【０００３】
ここで、上述のように、エアフィルタに捕捉された塵埃をブラシ部によって掻き落とす構成としては、例えば、該ブラシ部の収容された容器内にエアフィルタを挿通させて該容器内でブラシ部によってエアフィルタから塵埃を掻き落とす構成や、上記エアフィルタの室内側（上流側）の面にブラシ部を押し当てて該エアフィルタから塵埃を掻き落とす構成などが考えられる。
【特許文献１】特開２００５−８３６１２号公報
【特許文献２】特開２００７−４０６８９号公報
【発明の開示】
【発明が解決しようとする課題】
【０００４】
ところで、上述のようにエアフィルタの室内側の面にブラシ部を押し当てて塵埃を掻き落とす構成の場合、該エアフィルタに対してブラシ部を確実に接触させる必要があるため、該エアフィルタを下流側から押さえるための部材が必要になる。このような部材としては、通風抵抗等を考慮すると、エアフィルタの通風面積をあまり減少させることのない細い梁状の部材を用いて、その本数もできるだけ少ない本数にするのが好ましい。しかしながら、一般的に、梁部材は剛性があまり高くないため、エアフィルタを横断するようにできるだけ少ない本数の梁部材を設けると、該梁部材自体が撓んでしまい、該エアフィルタを十分に押さえることができないという問題が生じる。
【０００５】
本発明は、斯かる点に鑑みてなされたものであり、その目的とするところは、エアフィルタに捕捉された塵埃を除去するための塵埃除去手段を備えた空気調和装置の室内ユニットにおいて、通風特性を悪化させることなく、上記エアフィルタを確実に押さえて塵埃除去手段によって塵埃を確実に且つ効率良く除去できる構成を得ることにある。
【課題を解決するための手段】
【０００６】
上記目的を達成するために、本発明に係る空気調和装置（1）の室内ユニット（3）では、仕切板（25）の開口（26）にエアフィルタ（30）をエアフィルタ下流側から押さえる複数の梁部（27）を設けるとともに、該複数の梁部（27）のうち少なくとも一つの梁部（120）に補強部材（123）を設けた。
【０００７】
具体的には、第１の発明では、ケーシング（18,101）内に、室内熱交換器（22）と、室内から吸い込んだ空気を該室内側へ吹き出す室内ファン（21）と、該室内ファン（21）の吸込側に設けられるエアフィルタ（30）と、該エアフィルタ（30）の室内側に当接して該エアフィルタに捕捉された塵埃を除去する塵埃除去手段（50）とを備えた空気調和装置の室内ユニットを対象とする。
【０００８】
そして、上記エアフィルタ（30）の位置付けられる開口（26）が形成された仕切板（25）と、上記エアフィルタ（30）をエアフィルタ下流側から押さえるように、上記仕切板（25）に接続され上記開口（26）内に設けられた複数の梁部（27）と、上記複数の梁部（27）のうち少なくとも一つの梁部（120）を補強するための補強部材（123）と、を備え、上記エアフィルタ（30）は、リブ（36）を有したフィルタ本体（31）と、メッシュ部材（37）とを有しているものとする。
【０００９】
この構成により、エアフィルタ（30）をエアフィルタ下流側から押さえる梁部（27）のうち少なくとも一つの梁部（120）を、補強部材（123）によって補強することができるため、該梁部（120）の剛性を高めることがでる。したがって、上記梁部（120）が撓んだり変形したりするのを防止することができ、該梁部（120）によってエアフィルタ（30）を押さえて塵埃除去手段（50）と確実に接触させることができる。これにより、上記エアフィルタ（30）に捕捉された塵埃を上記塵埃除去手段（50）によって確実に且つ効率良く除去することができる。
【００１０】
上述の構成において、上記少なくとも一つの梁部（120）は、上記開口（26）を横断するように設けられた横断梁部（120）であり、上記補強部材（123）は、上記横断梁部（120）に取り付けられているものとする（第２の発明）。仕切板（25）の開口（26）を横断するように設けられた横断梁部（120）は、比較的、剛性が低く、撓んだり変形したりしやすいが、この横断梁部（120）に補強部材（123）を設けることで、該横断梁部（120）の剛性を高めることができ、エアフィルタ（30）を確実に押さえることができるようになる。よって、塵埃除去手段（50）によって上記エアフィルタ（30）に捕捉された塵埃を確実に且つ効率良く除去することができる。
【００１１】
また、ケーシング（18,101）内に、室内熱交換器（22）と、室内から吸い込んだ空気を該室内側へ吹き出す室内ファン（21）と、該室内ファン（21）の吸込側に設けられるエアフィルタ（30）と、該エアフィルタ（30）の室内側に当接して該エアフィルタに捕捉された塵埃を除去する塵埃除去手段（50）とを備えた空気調和装置の室内ユニットであって、上記エアフィルタ（30）の位置付けられる開口（26）が形成された仕切板（25）と、上記エアフィルタ（30）をエアフィルタ下流側から押さえるように上記開口（26）内に設けられた複数の梁部（27）と、上記複数の梁部（27）のうち少なくとも一つの梁部（120）を補強するための補強部材（123）と、を備え、上記少なくとも一つの梁部（120）は、上記開口（26）を横断するように設けられた横断梁部（120）であり、上記補強部材（123）は、上記横断梁部（120）に取り付けられ、上記補強部材（123）は、上記横断梁部（120）よりも長く形成されていて、両端部が該横断梁部（120）から突出するように該横断梁部（120）に取り付けられているのが好ましい（第３の発明）。
【００１２】
こうすることで、横断梁部（120）全体の剛性を高めることができるとともに、該横断梁部（120）と仕切板（25）の開口（26）の周縁部との接続部分の剛性も高めることができ、上記横断梁部（120）によってエアフィルタ（30）をより確実に押さえることができる。したがって、上記横断梁部（120）によって上記エアフィルタ（30）に捕捉された塵埃をより確実に且つ効率良く除去することができる。
【００１３】
また、ケーシング（18,101）内に、室内熱交換器（22）と、室内から吸い込んだ空気を該室内側へ吹き出す室内ファン（21）と、該室内ファン（21）の吸込側に設けられるエアフィルタ（30）と、該エアフィルタ（30）の室内側に当接して該エアフィルタに捕捉された塵埃を除去する塵埃除去手段（50）とを備えた空気調和装置の室内ユニットであって、上記エアフィルタ（30）の位置付けられる開口（26）が形成された仕切板（25）と、上記エアフィルタ（30）をエアフィルタ下流側から押さえるように上記開口（26）内に設けられた複数の梁部（27）と、上記複数の梁部（27）のうち少なくとも一つの梁部（120）を補強するための補強部材（123）と、を備え、上記少なくとも一つの梁部（120）は、上記開口（26）を横断するように設けられた横断梁部（120）であり、上記補強部材（123）は、上記横断梁部（120）に取り付けられ、上記エアフィルタ（30）が円形状であり、上記横断梁部（120）の長手方向中央部分に、上記エアフィルタ（30）を回転可能に支持する回転支持部（121）が設けられている構成に適用するのが好ましい（第４の発明）。
【００１４】
このように、横断梁部（120）の長手方向中央部分に、円形状のエアフィルタ（30）を回転可能に支持する回転支持部（121）が設けられている場合、該エアフィルタ（30）の重さによって上記横断梁部（120）が撓むことになるが、上記第２の発明のように横断梁部（120）に補強部材（123）を設けることで、該横断梁部（120）の剛性を高めて変形を防止することができる。したがって、上記横断梁部（120）に補強部材（123）を設ける構成は、上述のように円形状のエアフィルタ（30）を回転可能に支持する構成の場合に特に効果的である。
【００１５】
また、上記梁部（27）のうち他の梁部（27）は、一端側が上記回転支持部（121）に接続されていて、上記回転支持部（121）には、上記横断梁部（120）の延伸方向と交差する方向に延びるように補強リブ（122）が設けられているのが好ましい（第５の発明）。これにより、複数の梁部（27）が接続される回転支持部（121）の剛性を高めることができ、該回転支持部（121）で複数の梁部（27）が撓むのを防止することができる。
【００１６】
また、ケーシング（18,101）内に、室内熱交換器（22）と、室内から吸い込んだ空気を該室内側へ吹き出す室内ファン（21）と、該室内ファン（21）の吸込側に設けられるエアフィルタ（30）と、該エアフィルタ（30）の室内側に当接して該エアフィルタに捕捉された塵埃を除去する塵埃除去手段（50）とを備えた空気調和装置の室内ユニットであって、上記エアフィルタ（30）の位置付けられる開口（26）が形成された仕切板（25）と、上記エアフィルタ（30）をエアフィルタ下流側から押さえるように上記開口（26）内に設けられた複数の梁部（27）と、上記複数の梁部（27）のうち少なくとも一つの梁部（120）を補強するための補強部材（123）と、を備え、上記少なくとも一つの梁部（120）には、該梁部（120）の長手方向に延びる溝部（120a）が設けられていて、上記補強部材（123）は、断面略Ｌ字状に形成され、その一方の壁部（123a）が上記溝部（120a）内に位置付けられるように上記梁部（120）に取り付けられているものとする（第６の発明）。
【００１７】
こうすることで、補強部材（123）の剛性を高めることができるとともに、梁部（27）に対して該補強部材（123）を高さ方向にコンパクトに取り付けることができる。よって、梁部（120）の剛性向上と室内ユニット（3）のコンパクト化との両立を図れる。
【００１８】
また、上記少なくとも一つの梁部は、上記仕切板（25）の開口（26）を横断する横断梁部（120）であり、上記横断梁部（120）の長手方向中央部分には、平面視で該横断梁部（120）の延伸方向と交差する方向に延びる補強リブ（122）を備えた回転支持部（121）が形成されていて、上記補強部材（123）は、上記補強リブ（122）に形成された溝部（122a）内に一方の壁部（123a）が位置付けられるように、上記横断梁部（120）に取り付けられているのが好ましい（第７の発明）。
【００１９】
このように、横断梁部（120）の長手方向中央部分に設けられた回転支持部（121）に補強リブ（122）が形成されている場合、該補強リブ（122）に溝部（122a）を設けて、断面略Ｌ字状の補強部材（123）の一方の壁部（123a）を該溝部（122a）内に位置付けることで、該補強部材（123）と補強リブ（122）との干渉を避けることができる。しかも、上述のように、上記補強部材（123）を断面略Ｌ字状にすることで、該補強部材（123）との干渉を避けるための溝部（122a）を補強リブ（122）に一つ設けるだけでよいため、該補強リブ（122）の強度低下を極力、防止することができる。
【００２０】
さらに、上記補強部材（123）は、上記エアフィルタ（30）をエアフィルタ下流側から押さえるための押さえ部（29）とともに上記少なくとも一つの梁部（120）に取り付けられているのが好ましい（第８の発明）。
【００２１】
これにより、上記押さえ部（29）を補強部材（123）とともに梁部（120）に取り付けることができるため、取付部材の削減と取付工数の減少によるコスト低減を図れる。しかも、上記補強部材（123）の梁部（120）に対する取り付け箇所も増えるため、該補強部材（123）を梁部（120）に対してより確実に固定することができる。
【発明の効果】
【００２２】
以上のように、本発明に係る空気調和装置（1）の室内ユニット（3）によれば、エアフィルタ（30）の室内側に当接して該エアフィルタ（30）に捕捉された塵埃を除去する塵埃除去手段（50）を備えた構成において、上記エアフィルタ（30）を押さえる複数の梁部（27）と、該梁部（27）のうち少なくとも一つの梁部（120）を補強するための補強部材（123）とを備えているため、上記梁部（27）の剛性を高めて、該梁部（27）によって上記エアフィルタ（30）を確実に押さえることができる。したがって、上記エアフィルタ（30）に捕捉された塵埃を上記塵埃除去手段（50）によって確実に且つ効率良く除去することができる。
【００２３】
また、第２の発明によれば、上記補強部材（123）は、仕切板（25）の開口（26）を横断するように設けられた、上記少なくとも一つの梁部としての横断梁部（120）に取り付けられるため、比較的、剛性の低い横断梁部（120）の剛性を高めて、該横断梁部（120）によってエアフィルタ（30）を確実に押さえることができる。
【００２４】
また、第３の発明によれば、上記補強部材（123）は、上記横断梁部（120）よりも長く且つ両端が該横断梁部（120）から突出するように取り付けられるため、上記横断梁部（120）の全体の剛性を高めることができ、該横断梁部（120）によってエアフィルタ（30）をより確実に押さえることができる。
【００２５】
また、第４の発明によれば、上記横断梁部（120）の長手方向中央部分には、円形状のエアフィルタ（30）を回転可能に支持する回転支持部（121）が設けられているため、上記エアフィルタ（30）の重さによって撓みやすい横断梁部（120）に上記第２の発明のように補強部材（123）を取り付けることで、横断梁部（120）の剛性を高めて該横断梁部（120）によってエアフィルタ（30）を確実に押さえることができる。
【００２６】
また、第５の発明によれば、上記回転支持部（121）には、他の梁部（27）の一端側が接続されているとともに、上記横断梁部（120）の延伸方向と交差する方向に延びるように補強リブ（122）が設けられているため、複数の梁部（27）が接続される回転支持部（121）の剛性を高めることができ、これにより、梁部（27,120）によってエアフィルタ（30）をより確実に押さえることができる。
【００２７】
また、第６の発明によれば、上記補強部材（123）は、断面略Ｌ字状に形成されていて、その一方の壁部（123a）が上記少なくとも一つの梁部（120）に形成された溝部（120a）内に位置付けられるように取り付けられるため、梁部（120）の剛性向上と室内ユニット（3）のコンパクト化の両立を図れる。
【００２８】
また、第７の発明によれば、上記少なくとも一つの梁部は横断梁部（120）であって、該横断梁部（120）の中央部分に形成された回転支持部（121）には、平面視で該横断梁部（120）の延伸方向と交差する方向に延びる補強リブ（122）が設けられていて、上記補強部材（123）は、補強リブ（122）に形成された溝部（122a）内に一方の壁部（123a）が位置付けられるように取り付けられているため、補強部材（123）と補強リブ（122）との干渉を防止できるとともに、上記補強リブ（122）に形成する溝部（122a）を１つにすることができ、該補強リブ（122）の強度低下を極力防止することができる。
【００２９】
さらに、第８の発明によれば、上記補強部材（123）は、エアフィルタ（30）を押さえるための押さえ部（29）とともに横断梁部（120）に取り付けられるため、取付部品や取付工数の削減によるコスト低減を図れるとともに、上記補強部材（123）の取付箇所も増えて該補強部材（123）を横断梁部（120）に対してより確実に固定することができ、該横断梁部（120）の剛性をより確実に高めることができる。
【発明を実施するための最良の形態】
【００３０】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００３１】
本実施形態は、本発明に係る室内ユニット（3）を備えた空気調和装置（1）に関する。この空気調和装置（1）では、室内ユニット（3）が室内空間の天井に設置される。なお、以下では、まず本実施形態に係る空気調和装置（1）の構成について説明し、次に室内ユニット（3）の構成について説明する。
【００３２】
〈全体構成〉
図１に示すように、上記空気調和装置（1）は、室外ユニット（2）と室内ユニット（3）とを備えている。室外ユニット（2）には、圧縮機（4）、室外熱交換器（5）、膨張弁（6）、四路切換弁（7）および室外ファン（8）が設けられている。室内ユニット（3）には、室内熱交換器（22）および室内ファン（21）が設けられている。
【００３３】
上記室外ユニット（2）において、圧縮機（4）の吐出側は、四路切換弁（7）の第１ポート（P1）に接続されている。圧縮機（4）の吸入側は、四路切換弁（7）の第３ポート（P3）に接続されている。
【００３４】
上記室外熱交換器（5）は、クロスフィン式のフィン・アンド・チューブ型熱交換器として構成されている。室外熱交換器（5）の一端は、四路切換弁（7）の第４ポート（P4）に接続されている。室外熱交換器（5）の他端は、液側閉鎖弁（9a）に接続されている。
【００３５】
上記室外ファン（8）は、室外熱交換器（5）の近傍に設けられている。この室外熱交換器（5）では、室外ファン（8）によって送られる室外空気と該熱交換器（5）内を流通する冷媒との間で熱交換が行われる。室外熱交換器（5）と液側閉鎖弁（9a）との間には、開度可変の膨張弁（6）が設けられている。また、四路切換弁（7）の第２ポート（P2）はガス側閉鎖弁（9b）に接続されている。
【００３６】
上記四路切換弁（7）は、第１ポート（P1）と第２ポート（P2）とが互いに連通し且つ第３ポート（P3）と第４ポート（P4）とが互いに連通する第１状態（図１に実線で示す状態）と、第１ポート（P1）と第４ポート（P4）とが互いに連通し且つ第２ポート（P2）と第３ポート（P3）とが互いに連通する第２状態（図１に破線で示す状態）とが切り換え可能になっている。
【００３７】
この空気調和装置（1）では、四路切換弁（7）が第１状態の場合、暖房運転が行われ、四路切換弁（7）が第２状態の場合、冷房運転が行われる。暖房運転では、図１に示す冷媒回路において、室外熱交換器（5）が蒸発器として機能し且つ室内熱交換器（22）が凝縮器として機能する蒸気圧縮式冷凍サイクルが行われる。一方、冷房運転では、図１に示す冷媒回路において、室外熱交換器（5）が凝縮器として機能し且つ室内熱交換器（22）が蒸発器として機能する蒸気圧縮式冷凍サイクルが行われる。
【００３８】
〈室内ユニットの構成〉
以下で、上記室内ユニット（3）の構成を図２から図４に基づいて詳しく説明する。
【００３９】
図２及び図３に示すように、上記室内ユニット（3）は、上記室内ファン（21）や室内熱交換器（22）を備えた本体ユニット（10）と、該本体ユニット（10）の室内側に配置された掃除ユニット（100）と、該掃除ユニット（100）の室内側を覆う化粧パネル（11）とを備えている。すなわち、上記室内ユニット（3）は、上記図３に示すように、上から順に、上記本体ユニット（10）、掃除ユニット（100）及び化粧パネル（11）が積層されてなる。
【００４０】
上記本体ユニット（10）は、室内に向かって開口するように設置される箱状の本体ケーシング（18）を備えていて、この本体ケーシング（18）内には、室内ファン（21）、室内熱交換器（22）、ドレンパン（23）、ベルマウス（24）及び電装品箱（20）が配設されている。
【００４１】
上記本体ケーシング（18）の内面には、断熱材（17）が積層されている。また、上記本体ケーシング（18）は、後述のとおり、その開口側が室内側に位置付けられるように、天井裏の天井面から吊り支持されている。
【００４２】
上記室内ファン（21）は、いわゆるターボファンである。図２に示すように、室内ファン（21）は、本体ユニット（10）の本体ケーシング（18）の中央付近に配置され、後述する化粧パネル（11）の吸込口（13）の上側に位置している。上記室内ファン（21）は、ファンモータ（21a）と羽根車（21b）とを備えている。ファンモータ（21a）は、本体ケーシング（18）の天板に固定されている。羽根車（21b）は、ファンモータ（21a）の回転軸に連結されている。
【００４３】
上記室内ファン（21）の下側には、上記吸込口（13）に連通するようにベルマウス（24）が設けられている。このベルマウス（24）は、上記図２に示すように、室内ユニット（3）内において、室内熱交換器（22）の上流側の空間を室内ファン（21）側と吸込グリル（12）側とに区画している。上記ベルマウス（24）を設けることによって、上記室内ファン（21）により該ベルマウス（24）の下方から吸い込まれた空気は、該ベルマウス（24）の上方で周方向に吹き出される。
【００４４】
また、上記ベルマウス（24）には、図３に示すように、直方体状の本体ケーシング（18）の４隅のうち一つの隅部に対応する位置に、開口（24a）が形成されている。この開口（24a）が、後述する導入用ダクト（86）の導入口を構成する。
【００４５】
なお、上記開口（24a）は、掃除ユニット（100）のない室内ユニット（3）の場合（本体ユニット（10）のみ）には、室内ファン（21）の吹出空気が漏れないように、下側から閉鎖カバー（95）によって塞がれている（図示省略）。
【００４６】
上記室内熱交換器（22）は、平面視でロ字状に形成され、上記本体ケーシング（18）内に上記室内ファン（21）を囲むように配置されている。この室内熱交換器（22）では、上記室内ファン（21）によって送られる室内空気（吹出空気）と該熱交換器（22）内を流通する冷媒との間で熱交換が行われる。
【００４７】
上記ドレンパン（23）は、上記室内熱交換器（22）の下側に設けられている。このドレンパン（23）は、上記室内熱交換器（22）において空気中の水分が凝縮して生じるドレン水を受けるためのものである。上記ドレンパン（23）には、ドレン水を排水するためのドレンポンプが設けられている（図示省略）。また、上記ドレンパン（23）は、ドレンポンプを設置した箇所にドレン水が集まるように勾配がつけられている。
【００４８】
上記電装品箱（20）は、室内ユニット（3）内の室内ファン（21）等の構成部品の動作制御を行うための各種電装部品が収納されたもので、図３に示すように、上記ベルマウス（24）の下側で且つ平面視で上記室内ファン（21）の吸込口に重ならないように該吸込口の外方に配置されている。本実施形態では、上記電装品箱（20）は、上記ベルマウス（24）に形成された開口（24a）に対して上記室内ファン（21）の吸込口を挟んで反対側に配置されている。
【００４９】
上記掃除ユニット（100）は、平面視で略矩形状のチャンバケーシング（101）内に、円形状のエアフィルタ（30）、塵埃除去手段（50）、塵埃搬送手段（80）、塵埃捕集箱（90）等が配設されたものである。すなわち、上記掃除ユニット（100）は、詳しくは後述するように、室内ファン（21）の吸込側に位置するエアフィルタ（30）に付着した塵埃を塵埃除去手段（50）によって除去するとともに、除去した塵埃を塵埃搬送手段（80）によって塵埃捕集箱（90）内に搬送し、該塵埃捕集箱（90）内に貯留できるように構成されている。
【００５０】
上記チャンバケーシング（101）は、上記本体ユニット（10）の本体ケーシング（18）と同じ大きさに形成されていて、図２に示すように、該本体ケーシング（18）との間にシール部材（102）を挟んだ状態で該本体ケーシング（18）の室内側に配置されている。また、上記チャンバケーシング（101）の室内側には、シール部材（103）を挟んで化粧パネル（11）が取り付けられている。
【００５１】
また、上記チャンバケーシング（101）には、各辺に沿うように空気通路（101a）が４つ形成されている。各空気通路（101a）は、上記本体ユニット（10）において、室内熱交換器（22）の外方に形成される本体ケーシング（18）内の空間に連通するように設けられていて、該室内熱交換器（22）で冷媒と熱交換をした後の空気が室内側に向かって流れるように構成されている。すなわち、上記チャンバケーシング（101）の空気通路（101a）内を流れた空気は、上記化粧パネル（11）に形成された吹出口（14）から室内空間へ供給される。なお、上記図２に示すように、上記チャンバケーシング（101）において上記空気通路（101a）の内側を形成する部分は、シール部材（104）を介して上記本体ユニット（10）のドレンパン（23）を下方から支持している。
【００５２】
上記化粧パネル（11）は、平面視で矩形の板状に形成されている（図３参照）。上記図２にも示すように、上記化粧パネル（11）は、その平面視形状が、本体ユニット（10）の本体ケーシング（18）や掃除ユニット（100）のチャンバケーシング（101）の平面視形状よりも一回り大きくなるように形成されている。上述のとおり、上記化粧パネル（11）は、シール部材（103）を間に挟んだ状態でチャンバケーシング（101）の下側を覆うように取り付けられ、これにより、該化粧パネル（11）は、図３に示す状態で室内側に露出することになる。
【００５３】
また、上記化粧パネル（11）には、図３に示すように、１つの吸込口（13）と４つの吹出口（14,14,…）とが形成されている。上記吸込口（13）は、化粧パネル（11）の中央部に略矩形状に形成されていて、後述するスリット部（12a）を有する吸込グリル（12）が嵌め込まれている。上記各吹出口（14）は、細長い矩形状に形成されていて、上記掃除ユニット（100）の空気通路（101a,101a,…）に対応して上記化粧パネル（11）の各辺に沿うように設けられている。そして、各吹出口（14）には、風向調整板（15）が設けられている（図２等参照）。この風向調整板（15）は、回動して風向（吹出方向）を調整するように構成されている。
【００５４】
上記吸込グリル（12）は、その中央部分にスリット状の複数の開口が形成されたスリット部（12a）を有するカバー部材であり、上記化粧パネル（11）の吸込口（13）を覆うように取り付けられている。また、この吸込グリル（12）には、掃除機のノズルを挿入するためのノズル挿入部（110）が設けられている。このノズル挿入部（110）は、上記掃除ユニット（100）の塵埃捕集箱（90）内に貯留された塵埃を掃除機によって回収できるように、該掃除機のノズルを挿入可能に構成されている。
【００５５】
さらに、上記化粧パネル（11）には、後述するように、上記掃除ユニット（100）の塵埃捕集箱（90）内に所定量以上の塵埃が貯留された場合や、塵埃除去手段（50）によってエアフィルタ（30）に付着した塵埃を除去している場合などに点灯するＬＥＤ（16）が設けられている。
【００５６】
〈掃除ユニットの構成〉
次に、上記掃除ユニット（100）内の構成について図４〜図１４に基づいて以下で詳しく説明する。
【００５７】
上述のとおり、上記掃除ユニット（100）は、平面視で略矩形状のチャンバケーシング（101）内に、エアフィルタ（30）、塵埃除去手段（50）、塵埃搬送手段（80）、塵埃捕集箱（90）及び電装品箱（105）などが配置されてなるもので、上記本体ユニット（10）の室内ファン（21）の吸込口の下方に位置する上記エアフィルタ（30）を清掃するためのユニットである。
【００５８】
また、上記清掃ユニット（100）には、上記ベルマウス（24）の下方を覆うように仕切板（25）が設けられている。この仕切板（25）は、例えば図２に示すように、上記ベルマウス（24）と上記吸込グリル（12）との間の空間を上下に仕切っている。つまり、上記仕切板（25）は、ケーシング（18,100）内の室内熱交換器（22）の上流側空間を、エアフィルタ（30）の上流側と下流側とに区画している。
【００５９】
上記仕切板（25）の中央には、図２や図５に示すように、吸込口（13）から吸い込まれた空気がベルマウス（24）へ流入するための通気孔（26）（開口）が形成されている。この通気孔（26）は、円形孔が径方向に延びる３本の径方向梁部（27）によって内部を扇形に仕切られている。上記径方向梁部（27）は、２本が直線状に並ぶように接続されて上記通気孔（26）を横断する横断梁部（120）を構成している。この横断梁部（120）の詳細な構成については後述するが、該横断梁部（120）の長手方向の中央部分には、平面視で円形状の回転支持部（121）が設けられている。この回転支持部（121）には、もう１本の径方向梁部（27）の一端側も接続されている。上記回転支持部（121）の下側には、円筒状のフィルタ回転軸（28）が下方に突出形成されている。このフィルタ回転軸（28）は、上記エアフィルタ（30）が回転するための回転軸である。また、詳しくは後述するように、上記横断梁部（120）には、その上面に長手方向に延びる補強部材（123）が取り付けられているとともに、上記エアフィルタ（30）を塵埃除去手段（50）の回転ブラシ（51）に対して上から押さえつけるためのフィルタ押さえ（29）（押さえ部）が２つ設けられている。
【００６０】
なお、上記仕切板（25）の通気孔（26）の側方には、該通気孔（26）と繋がるようにサービス孔（25a）（開口）が形成されていて、このサービス孔（25a）を塞ぐようにサービス蓋（106）（蓋部材）が配設されている（図２２及び図２３参照）。そして、上記径方向梁部（27）は、通気孔（26）の周縁部に対し、サービス蓋（106）の取付部近傍に接続するように設けられている。これにより、上記サービス蓋（106）の取付部周辺の仕切板（25）の剛性を高めることができ、該サービス蓋（106）を取り付ける際の仕切板（25）の損傷等を防止することができる。
【００６１】
上記図５に示すように、上記エアフィルタ（30）は、仕切板（25）の通気孔（26）の下方に配置され、上記ベルマウス（24）及び通気孔（26）よりも大径の円板状に形成されている。具体的には、上記エアフィルタ（30）は、環状のフィルタ本体（31）とメッシュ部材（37）とを備えている。このフィルタ本体（31）の外周面には、ギア部（32）が設けられている一方、フィルタ本体（31）の中心部には、径方向に放射状に延びる６つの径方向リブ（34）によって支持される円筒状の軸挿通部（33）が設けられている。つまり、各径方向リブ（34）は、軸挿通部（33）から放射状に延びて上記フィルタ本体（31）に接続している。また、上記フィルタ本体（31）の内側には、該フィルタ本体（31）と同心に配置された環状の内側周方向リブ（35）および外側周方向リブ（36）が設けられている。この外側周方向リブ（36）は、内側周方向リブ（35）よりも大径に形成されている。ここで、図６に示すように、上記軸挿通部（33）は、その内径が上記仕切板（25）に形成されたフィルタ回転軸（28）や、後述する止めネジ（28a）の頭部よりも大径に形成されている。
【００６２】
上記メッシュ部材（37）は、フィルタ本体（31）の内側全体に張られている。吸込口（13）から吸い込まれた空気は、エアフィルタ（30）のメッシュ部材（37）を通過してベルマウス（24）へ流入する。その際、空気中の塵埃が上記メッシュ部材（37）に捕捉される。
【００６３】
また、上記エアフィルタ（30）は、上述したフィルタ押さえ（29）が環状の各周方向リブ（35,36）の上面に当接することによって下方へ付勢される。これにより、エアフィルタ（30）が後述する塵埃除去手段（50）の回転ブラシ（51）に押さえ付けられる。したがって、この構成により、塵埃除去手段（50）による塵埃の除去効率の向上を図ることができる。
【００６４】
図５及び図６に示すように、上記エアフィルタ（30）は、軸挿通部（33）が仕切板（25）のフィルタ回転軸（28）に対して回転可能に嵌め込まれる。上記エアフィルタ（30）の下方には、塵埃除去手段（50）の塵埃貯留容器（60）が配置されており、該エアフィルタ（30）がフィルタ回転軸（28）に嵌め込まれた状態で、後述する上記塵埃貯留容器（60）のフィルタ取付部（68）と仕切板（25）のフィルタ回転軸（28）とが止めネジ（28a）によって固定されている。これにより、仕切板（25）と塵埃貯留容器（60）との間にエアフィルタ（30）が挟み込まれた状態で保持される。
【００６５】
上記エアフィルタ（30）の近傍には、図４及び図７に示すように、該エアフィルタ（30）を回転駆動するためのフィルタ駆動手段（40）が設けられている。このフィルタ駆動手段（40）は、上記図７に示すように、フィルタ駆動モータ（41）及びリミットスイッチ（44）を備えている。フィルタ駆動モータ（41）の駆動軸には、駆動ギア（42）が設けられ、該駆動ギア（42）がエアフィルタ（30）のギア部（32）と噛み合っている。駆動ギア（42）の一端面（図の例では下面）には、突片であるスイッチ作動部（43）が設けられている。このスイッチ作動部（43）は、駆動ギア（42）の回転によりリミットスイッチ（44）のレバー（44a）に当接することで該レバー（44a）を動かすようになっている。このレバー（44a）が動作すると、それをリミットスイッチ（44）が検知するように構成されている。つまり、上記スイッチ作動部（43）およびリミットスイッチ（44）は、上記駆動ギア（42）の回転を検出するように構成されていて、これにより、該駆動ギア（42）の回転数に応じて上記塵埃除去手段（50）を動作させる時期を検出したり、該駆動ギア（42）が回転していない場合の異常検知を行ったりすることが可能となる。
【００６６】
次に、上記掃除ユニット（100）内に設けられた、上記塵埃除去手段（50）、塵埃量検出手段（70）、塵埃搬送手段（80）及び塵埃捕集箱（90）について、図８〜図１４を参照しながら説明する。
【００６７】
上記塵埃除去手段（50）は、エアフィルタ（30）に捕捉された塵埃を除去するためのものである。この塵埃除去手段（50）は、図１０及び図１１に示すように、ブラシ部材である回転ブラシ（51）および清掃用ブラシ（52）と、ブラシ駆動手段（53）と、除去した塵埃を集めておくための塵埃貯留容器（60）とを備えている。上記図１０に示すように、上記回転ブラシ（51）および清掃用ブラシ（52）は、塵埃貯留容器（60）のブラシ用開口（63）に設けられている。
【００６８】
上記回転ブラシ（51）は、細長い円柱状のシャフト（51a）と、該シャフト（51a）の外周面に設けられたブラシ（51b）とを備えている。このブラシ（51b）は、複数の植毛によって構成されている。そして、上記ブラシ（51b）は、シャフト（51a）外表面の周方向の一部分に、該シャフト（51a）の軸方向に亘って設けられている。
【００６９】
上記清掃用ブラシ（52）は、回転ブラシ（51）の一側に、該回転ブラシ（51）と接触可能に配置されている。上記清掃用ブラシ（52）は、本体部（52a）と、ブラシ（52b）と、バネ部（52c）とを備えている。この本体部（52a）は、板状部材であり、上記回転ブラシ（51）のシャフト（51a）に対応して同じ長さになるように形成されている。上記本体部（52a）は、回転ブラシ（51）の外周面に対して所定間隔で対向するように配置されている。また、上記本体部（52a）の上部は、回転ブラシ（51）のシャフト（51a）の外周面に沿うように円弧状に形成されている。この本体部（52a）の円弧状の上部には、該本体部（52a）の長さ方向に亘ってブラシ（52b）が設けられている。上記バネ部（52c）は、板ばねによって構成されていて、その一方の端部が上記本体部（52a）の下端に接続されている一方、他方の端部が上記塵埃貯留容器（60）の内壁に接続されている。つまり、上記本体部（52a）は、その下端部を上記バネ部（52c）によって支持されている。
【００７０】
上記回転ブラシ（51）および清掃用ブラシ（52）は、それぞれ、円形状のエアフィルタ（30）の半径と同等以上の長さになるように形成されていて、エアフィルタ（30）の円中心から径方向外方へ延びるように配置されている。すなわち、図４に示すように、上記塵埃除去手段（50）は、上記エアフィルタ（30）の径方向に延びるように配置されている。
【００７１】
上記回転ブラシ（51）は、回転するエアフィルタ（30）のメッシュ部材（37）にブラシ（51b）が接触することにより、該メッシュ部材（37）から塵埃を除去するように構成されている。また、上記回転ブラシ（51）は、図１０および図１１に示すように、上記ブラシ駆動手段（53）によって可逆に回転駆動される。上記ブラシ駆動手段（53）は、図８及び図９に示すように、ブラシ駆動モータ（54）と、互いに噛み合う駆動ギア（55）および従動ギア（56）とを備えている。駆動ギア（55）はブラシ駆動モータ（54）の駆動軸に設けられ、従動ギア（56）は回転ブラシ（51）のシャフト（51a）の端部に設けられている。この構成により、上記ブラシ駆動モータ（54）の回転が駆動ギア（55）及び従動ギア（56）を介して回転ブラシ（51）に伝達され、該回転ブラシ（51）が回転駆動される。
【００７２】
以上の構成より、上記回転ブラシ（51）がブラシ駆動手段（53）によって回転すると、上記清掃用ブラシ（52）のブラシ（52b）は、回転ブラシ（51）のブラシ（51b）と接触し、該清掃用ブラシ（52）によって回転ブラシ（51）のブラシ（51b）から塵埃が除去される。つまり、上記清掃用ブラシ（52）は、回転ブラシ（51）から塵埃を除去して該回転ブラシ（51）を清掃するためのものであり、上記ブラシ駆動手段（53）は、該回転ブラシ（51）のブラシ（51b）に捕捉された塵埃を上記清掃ブラシ（52）にこすり付けるように該回転ブラシ（51）を回転させるためのものである。
【００７３】
また、上記回転ブラシ（51）および清掃用ブラシ（52）の各ブラシ（51b,52b）は、いわゆるパイル織物で構成されている。このパイル織物は、基布に毛（パイル糸）が織り込まれて成る有毛繊維であり、毛足が比較的短い。また、このパイル織物は、毛並みが一定方向に傾斜する傾斜パイルである。
【００７４】
具体的には、上記回転ブラシ（51）におけるブラシ（51b）の毛並みは、図１０においてシャフト（51a）から左側に向かって傾斜している。つまり、このブラシ（51b）の毛並みは、エアフィルタ（30）の回転方向に対向するように傾斜している。このように、エアフィルタ（30）がブラシ（51b）の毛並みに対向するように回転すると、メッシュ部材（37）に捕捉された塵埃が効率よく掻き出される。
【００７５】
また、清掃用ブラシ（52）におけるブラシ（52b）の毛並みは、図１０において本体部（52a）から斜め下側に向かって傾斜している。つまり、このブラシ（52b）の毛並みは、回転ブラシ（51）が上記図１０において時計回りに回転する際に、その回転方向に対向するように傾斜している。これにより、上記回転ブラシ（51）が上記清掃用ブラシ（52）のブラシ（52b）の毛並みに対向するように回転することで、該回転ブラシ（51）のブラシ（51b）に付着している塵埃を上記清掃用ブラシ（52）のブラシ（52b）で除去することが可能となる。
【００７６】
なお、これら回転ブラシ（51）および清掃用ブラシ（52）の塵埃除去動作については、後で詳述する。
【００７７】
上記塵埃貯留容器（60）は、清掃用ブラシ（52）によって回転ブラシ（51）から除去された塵埃を集めて一時的に貯留するためのものである。この塵埃貯留容器（60）は、側面視（図８において右側から視た場合）で上側部分が下側部分に対して右側方に膨出した、やや逆くの字に屈曲している柱状の容器である。上記塵埃貯留容器（60）は、上側部分がエアフィルタ（30）の塵埃を除去するための回転ブラシ（51）等が配設される除去部（61）であり、下側部分が該回転ブラシ（51）によってエアフィルタ（30）から除去された塵埃を貯留するための貯留部（62）となっている。
【００７８】
具体的には、上記除去部（61）の上面には、その長手方向に延びるようにブラシ用開口（63）が形成されていて、上述したようにそのブラシ用開口（63）内に塵埃除去手段（50）の回転ブラシ（51）および清掃用ブラシ（52）が設けられている。
【００７９】
また、上記除去部（61）の一側面に上述したフィルタ取付部（68）が設けられている。このフィルタ取付部（68）は、上記貯留部（62）よりも側方に膨出した除去部（61）の膨出方向に開口するように、平面視で略Ｕ字状に突出形成されたものである。また、上記フィルタ取付部（68）は、図６に示すように、その略Ｕ字状の内側の幅寸法が、仕切板（25）のフィルタ回転軸（28）に螺合する止めネジ（28a）のネジ部の直径よりも大きく、該フィルタ回転軸（28）の直径よりも小さくなるように形成されている。
【００８０】
これにより、上記図６に示すように、上記フィルタ取付部（68）と仕切板（25）の径方向梁部（27）との間にエアフィルタ（30）を挟み込んだ状態で、上記止めネジ（28a）をフィルタ回転軸（28）に螺合させることで、該エアフィルタ（30）をフィルタ取付部（68）及び仕切板（25）に対して固定することができる。そして、上記エアフィルタ（30）を取り外す際には、上記止めネジ（28a）を緩めて、上記フィルタ取付部（68）の形成された塵埃貯留容器（60）を上記除去部（61）の膨出方向とは反対側（フィルタ取付部（68）の開口方向とは反対側）に回動させることで、上記フィルタ回転軸（28）に止めネジ（28a）が螺合した状態でエアフィルタ（30）の下側の押さえである上記フィルタ取付部（68）のみを該エアフィルタ（30）の軸挿通部（33）の下方から移動させることができる。そして、上述のとおり、上記エアフィルタ（30）の軸挿通部（33）は、その内径が上記仕切板（25）のフィルタ回転軸（28）や止めネジ（28a）よりも大径に形成されているため、該エアフィルタ（30）を下方から取り外すことができる。
【００８１】
以上のようなエアフィルタ（30）の取り付け構造にすることで、上記止めネジ（28a）を外すことなく、容易にエアフィルタ（30）を取り外すことができる。
【００８２】
上記貯留部（62）は、断面視で下端側（底部側）が円弧状に膨出している。そして、その貯留部（62）の円弧部には、清掃用ブラシ（52）によって回転ブラシ（51）から除去された塵埃が落下して貯留される。また、上記貯留部（62）は、筒状に形成されていて、その長手方向の両端部（66,67）が開口している。この貯留部（62）の第１端部（66）には、後述する塵埃搬送手段（80）のダンパボックス（81）が接続され、第２端部（67）には、後述する塵埃搬送手段（80）の搬送用ダクト（88）が接続されている。
【００８３】
また、上記図１０に示すように、上記塵埃貯留容器（60）には、貯留部（62）に貯留された塵埃量を検出するための貯留量検出手段（70）が設けられている。この貯留量検出手段（70）は、センサボックス（71）内に収納された発光ＬＥＤ（72）及びフォトトランジスタ（73）を備えている。上記センサボックス（71）は、塵埃貯留容器（60）の貯留部（62）の第２端部（67）寄りに、該貯留部（62）の横断方向に延び且つその底部を覆うように設けられている（図５、図８、図９参照）。上記発光ＬＥＤ（72）及びフォトトランジスタ（73）は、上記センサボックス（71）内に、上記貯留部（62）をその横断方向に挟んで対向配置されている。一方、上記貯留部（62）の壁面には、上記発光ＬＥＤ（72）及びフォトトランジスタ（73）にそれぞれ対応して、第１透明窓（64）および第２透明窓（65）が設けられている。
【００８４】
以上の構成により、上記貯留量検出手段（70）において、発光ＬＥＤ（72）で生じた光は、第１透明窓（64）および第２透明窓（65）を順に透過した後、フォトトランジスタ（73）によって光度が検出される。このフォトトランジスタ（73）によって検出された光度に応じて、貯留部（62）における塵埃の貯留量（即ち、充填度）を検出することができる。すなわち、塵埃の貯留量が少ないと、上記貯留部（62）において第１透明窓（64）から第２透明窓（65）への光の透過率が高くなり、上記フォトトランジスタ（73）によって検出される光度が高くなる。逆に、塵埃の貯留量が多いと、上記貯留部（62）において第１透明窓（64）から第２透明窓（65）への光の透過率が低くなり、上記フォトトランジスタ（73）によって検出される光度が低くなる。したがって、この貯留量検出手段（70）によれば、例えば、光度が所定値以下になると、貯留部（62）の貯留量が多いと判断することができる。これにより、後述する塵埃搬送手段（80）によって貯留部（62）内の塵埃を搬送する塵埃搬送動作を行った後でも、上記貯留量検出手段（70）によって上記貯留部（62）内の塵埃の貯留量が多いと検出された場合には、塵埃の搬送先である塵埃捕集箱（90）内が満杯であると判断することが可能になる。
【００８５】
また、上述のように、上記貯留用検出手段（70）を、搬送用ダクト（88）に繋がる上記貯留部（62）の第２端部（67）寄りに設けることで、塵埃が該搬送用ダクト（88）内を搬送されて塵埃捕集箱（90）内に集められる際に、該第２端部（67）で塵埃が詰まったりした場合でも、その状態を検出することが可能になる。すなわち、本実施形態のような構成では、上記搬送用ダクト（88）との接続部分である上記貯留部（62）の第２端部（67）周辺で最も塵埃が詰まり易くなるが、この部分に上記貯留用検出手段（70）を設けることにより、塵埃の詰まりをより確実に検出することが可能になる。
【００８６】
上記塵埃搬送手段（80）は、例えば、図４、図５、図８、図１２および図１３に示すように、上述したダンパボックス（81）および搬送用ダクト（88）と、導入用ダクト（86）と、吸引用ダクト（87）とを備えている。
【００８７】
上記ダンパボックス（81）は、直方体状に形成されていて、その長手方向の一端側が上記貯留部（62）の第１端部（66）に接続されている。図１２および図１３に示すように、上記ダンパボックス（81）内には、開閉部材であるダンパ（82）が設けられている。このダンパ（82）が閉まると、ダンパボックス（81）の内部空間がその長手方向に仕切られる。つまり、ダンパボックス（81）の内部空間は、上記ダンパ（82）によって、他端側の第１室（81a）と一端側である塵埃貯留容器（60）側の第２室（81b）とに区画される。上記ダンパボックス（81）の一端側に区画形成される上記第２室（81b）には、上述したように、貯留部（62）の第１端部（66）が接続されていて、該第２室（81b）と貯留部（62）とが連通している。
【００８８】
図９や図１３に示すように、上記塵埃搬送手段（80）は、ダンパ（82）を開閉駆動するためのダンパ駆動モータ（83）と駆動ギア（84）と従動ギア（85）とを備えている。この駆動ギア（84）はダンパ駆動モータ（83）の駆動軸に接続されていて、上記従動ギア（85）は、ダンパ（82）の回動軸に接続されている。そして、これらの駆動ギア（84）および従動ギア（85）は、互いに噛み合うように配置されている。この構成により、上記ダンパ駆動モータ（83）の回転は、各ギア（84,85）を介してダンパ（82）の回動軸に伝達される。これにより、上記ダンパ駆動モータ（83）の回転によって上記ダンパ（82）は回動軸を中心に回動する、開閉動作が行われる。
【００８９】
上記導入用ダクト（86）は、その一端側が上記ダンパボックス（81）の上面に接続されていて、該ダストボックス（81）内の第１室（81a）に連通している。一方、上記導入用ダクト（86）の他端側は、図１２に示すように、ダンパボックス（81）から鉛直上方に延びて、掃除ユニット（100）と本体ユニット（10）との間に設けられた仕切板（25）を貫通し、該本体ユニット（10）のドレンパン（23）の延出部に接続されている。上記導入用ダクト（86）は、円形状の横断面を有する上流側ダクト（86a）および下流側ダクト（86b）を備えていて、これらの２つの部材（83a,83b）が止めネジ（86c）によって上下方向に連結されている。
【００９０】
上記上流側ダクト（86a）は、その横断面積（流路面積）が上記下流側ダクト（86b）の横断面積（流路面積）よりも大きくなるように形成されている。この下流側ダクト（86b）の下端（図１２における下側）は、ダンパボックス（81）の上面に接続されている一方、上記上流側ダクト（86a）の上端（図１２における上側）は、ドレンパン（23）の水平に延びる延出部にシール部材（86e）を介して当接している。このドレンパン（23）の延出部には、貫通孔である導入口（86d）が形成されている。そして、この導入口（86d）を通じて、上流側ダクト（86a）が室内ファン（21）側の空間と連通している。つまり、この導入用ダクト（86）は、室内ファン（21）の吹出空気をダンパボックス（81）内へ導入するように構成されている。
【００９１】
また、上記導入用ダクト（86）は、上流側ダクト（86a）と下流側ダクト（86b）との連結部分が仕切板（25）の貫通部に位置している。具体的には、上流側ダクト（86a）の底板と下流側ダクト（86b）の上端フランジとで仕切板（25）の貫通孔周縁を挟み込むように、両ダクト（86a,86b）が連結されている。この構成により、上記導入用ダクト（86）が脱落しないように上記仕切板（25）の貫通孔周縁を挟み込みつつ、該導入用ダクト（86）の上端をベルマウス（24）に接続させることが可能になる。
【００９２】
さらに、上述のように、上記上流側ダクト（86a）の底板と下流側ダクト（86b）の上端フランジとで仕切板（25）の貫通孔周縁を挟み込むような構成にすることで、該上流側ダクト（86a）と下流側ダクト（86b）との連結部分が仕切板（25）に対して回動可能になる。しかも、本実施形態では、上記上流側ダクト（86a）と上記シール部材（86e）との当接部分も回動可能に構成されているため、上記導入用ダクト（86）、ダンパボックス（81）及び塵埃除去手段（50）は、導入用ダクト（86）の軸心（導入口）を中心にして一体で回動できるようになる。
【００９３】
上記吸引用ダクト（87）は、例えば図１３や図１４に示すように、流入側である一端が上記ダンパボックス（81）の一端側の下面に接続されていて、該ダンパボックス（81）内の第２室（81b）に連通している。一方、上記吸引用ダクト（87）の流出側である他端は、化粧パネル（11）に形成された上記ノズル挿入部（110）に接続されている。
【００９４】
具体的には、上記吸引用ダクト（87）は、図１４に示すように、上記ダンパボックス（81）の下面に回動可能に設けられた接続管（87a）と、該接続管（87a）と上記化粧パネル（11）のノズル挿入部（110）とを接続するフレキシブルダクト（87b）と、からなる。このように、上記ダンパボックス（81）に接続される接続管（87a）を回動可能に構成し、該接続管（87a）と上記ノズル挿入部（110）とを変形可能なフレキシブルダクト（87b）によって接続することで、上記図１４に示すように、設置する際に下面視で吸込グリル（12）のスリット部（12a）の向きが変わった場合でも、上記ダンパボックス（81）とノズル挿入部（110）とを確実に接続することができる。したがって、上記吸込グリル（12）のスリット部（12a）の向きをユーザーの好みに合わせて自由に変えることが可能となる。
【００９５】
上記搬送用ダクト（88）は、図２〜図４に示すように、一端が塵埃貯留容器（60）における貯留部（62）の第２端部（67）に接続され、他端が後述する塵埃捕集箱（90）に接続されている。この搬送用ダクト（88）によって、上記塵埃貯留容器（60）と塵埃捕集箱（90）とを連通させることができ、該搬送ダクト（88）内での塵埃の搬送が可能になる。なお、上記搬送用ダクト（88）はフレキシブルチューブによって構成されている。
【００９６】
上述のような構成を有する塵埃搬送手段（80）において、冷暖房を行う通常運転の場合、上記ダンパボックス（81）のダンパ（82）は閉じられている（図１３（Ａ）参照）。これにより、室内ファン（21）の吹出空気はダンパボックス（81）の第２室（81b）へ導入されない。一方、上記塵埃貯留容器（60）内の塵埃を塵埃捕集箱（90）に搬送する場合には、上記ダンパボックス（81）のダンパ（82）が開く（図１３（Ｂ）参照）。これにより、上記室内ファン（21）の吹出空気が導入用ダクト（86）およびダンパボックス（81）を介して上記塵埃貯留容器（60）内へ導入される。その結果、該塵埃貯留容器（60）内の塵埃は、導入された空気と共に上記搬送用ダクト（88）を流れて上記塵埃捕集箱（90）内へ搬送される。つまり、上述のように、上記ダンパボックス（81）内のダンパ（82）を開くことにより、室内ファン（21）の吹出空気を利用して上記塵埃貯留容器（60）の塵埃を該塵埃貯留容器（60）内から排出して所定位置まで搬送することができる。
【００９７】
さらに、上記塵埃搬送手段（80）では、上記塵埃捕集箱（90）内に捕集された塵埃をケーシング（10）外へ排出する場合も、上記ダンパボックス（81）のダンパ（82）は閉じられている（図１３（Ｃ）参照）。この場合には、掃除機によってノズル挿入部（110）から吸引することで、上記塵埃捕集箱（90）内の塵埃が搬送用ダクト（88）、ダンパボックス（81）および吸引用ダクト（87）を通じて掃除機に吸引される。
【００９８】
上記塵埃捕集箱（90）は、上述のとおり、上記塵埃貯留容器（60）内の塵埃が搬送されて貯留されるものである。この塵埃捕集箱（90）は、例えば図３や図４に示すように、やや細長い略直方体状に形成され、上記塵埃貯留容器（60）と同様に仕切板（25）の下方に配置されている。そして、上記塵埃捕集箱（90）は、平面視でエアフィルタ（30）と重ならないように、該エアフィルタ（30）の側方で且つ上記仕切板（25）の一端辺に沿って配置されている。本実施形態では、上記塵埃捕集箱（90）は、上記ダンパボックス（81）に対して、エアフィルタ（30）を挟んで対向する位置で、且つ上記本体ユニット（10）の電装品箱（20）及びサービス蓋（106）の下方に配置される（図２１〜図２３参照）。また、上記塵埃捕集箱（90）は、上記エアフィルタ（30）との干渉を確実に防止するために、該エアフィルタ（30）側の側板が、該エアフィルタ（30）の外周に対応して円弧状に形成されている。
【００９９】
また、上記塵埃捕集箱（90）は、図４に示すように、一方の端部の側面に流入口（94）が形成されていて、該流入口（94）に上記搬送用ダクト（88）の他端側が接続されている。一方、上記塵埃捕集箱（90）の他方の端部は、掃除ユニット（100）のチャンバケーシング（101）を貫通しており、その端面には該ケーシング（101）の外方に開口する排気口（91）が設けられている。すなわち、上記塵埃捕集箱（90）は、搬送用ダクト（88）が接続される側とは反対側の端部に排気口（91）が設けられていて、その内部を長手方向に空気が流れやすい構成になっている。なお、上記塵埃捕集箱（90）は、排気口（91）側の部分が他の部分よりも断面積が小さくなっている。ここで、上記図４において、符号93は、上記塵埃捕集箱（90）のチャンバケーシング（101）を貫通する部分を、ケーシング内側からシールするシール部材である。
【０１００】
また、上記塵埃捕集箱（90）内には、上記排気口（91）寄りにフィルタ（92）が設けられている。このフィルタ（92）を設けることで、塵埃貯留容器（60）から塵埃捕集箱（90）内に塵埃を搬送する際に、空気は排気口（91）から排出される一方、搬送された塵埃は上記フィルタ（92）に捕捉されて排気口（91）から流出することはない。また、掃除機による吸引によって塵埃捕集箱（90）から塵埃が排出される場合には、室内空気が上記排気口（91）を通じて該塵埃捕集箱（90）内に流入するが、流入した空気中の塵埃は上記フィルタ（92）によって捕捉される。
【０１０１】
上述のように、上記排気口（91）による給排気によって塵埃捕集箱（90）内の圧力バランスが適切になるので、該塵埃捕集箱（90）に対する塵埃の搬送動作および排出動作が適切に行われる。
【０１０２】
上記電装品箱（105）は、掃除ユニット（100）内のフィルタ駆動手段（40）や、塵埃除去手段（50）、塵埃搬送手段（80）などを駆動制御するための電子部品等が収納されたもので、内部の電装部品は、上記本体ユニット（10）の電装品箱（20）内の電装部品と配線（図示省略）により信号の授受可能に電気的に接続されている。
【０１０３】
また、上記電装品箱（105）は、図３に示すように、掃除ユニット（100）の仕切板（25）の下方に、上記塵埃捕集箱（90）の配置される辺と隣り合う辺で、且つ上記塵埃貯留容器（60）に接続されるダンパボックス（81）とはエアフィルタ（30）を挟んで対向する位置に配置されている。これにより、詳しくは後述するように、メンテナンス時に上記掃除ユニット（100）の仕切板（25）に設けられたサービス蓋（106）やエアフィルタ（30）を取り外す際、上記塵埃貯留容器（60）を回動させても電装品箱（105）が該塵埃貯留容器（60）と干渉するのを確実に防止することができる。
【０１０４】
〈梁部の構造〉
次に、本発明の特徴部分である、仕切板（25）の通気孔（26）に設けられた径方向梁部（27）の構成について、以下で詳細に説明する。
【０１０５】
具体的には、図５及び図１６に示すように、上記径方向梁部（27）のうち、２つの径方向梁部（27）は直線状に並んで上記通気孔（26）を横断する横断梁部（120）を構成している。この横断梁部（120）には、その長手方向の中央部分に、平面視で円形状の回転支持部（121）が形成されている。なお、上記径方向梁部（27）及び横断梁部（120）が、本発明に係る梁部に対応する。
【０１０６】
上記回転支持部（121）は、図１７に示すように、略有底円筒状に形成されたもので、上方に向かって開口した状態で上記径方向梁部（27）に接続されている。上記回転支持部（121）内には、上記横断梁部（120）の延伸方向と直交（交差）する方向に延びるように補強リブ（122）が立設されている。この補強リブ（122）は、上記回転支持部（121）の側面の高さよりも突出高さが低くなるように形成されている。このような補強リブ（122）を設けることで、上記回転支持部（121）の剛性を高めることができ、該回転支持部（121）に接続される各径方向梁部（27）が撓んだり変形したりするのを防止することができる。
【０１０７】
また、図１８及び図１９に示すように、上記回転支持部（121）の下面には、上記フィルタ回転軸（28）を構成する有底円筒状の突起部が一体形成されている。このフィルタ回転軸（28）は、前述のとおり、エアフィルタ（30）の軸挿通部（33）を挿通した状態で、塵埃貯留容器（60）のフィルタ取付部（68）に止めねじ（28a）によって固定されるように構成されている。なお、上記フィルタ回転軸（28）には、上記止めねじ（28a）が螺合可能なねじ部（28b）が形成されている。
【０１０８】
上記横断梁部（120）の上面には、図１８及び図２０に示すように、該梁部（120）の長手方向に延びる溝部（120a）が形成されている。この溝部（120a）は、上記横断梁部（120）の幅方向一端側（図１７において紙面左側）に形成されている。また、上記溝部（120a）は、断面略Ｌ字状の補強部材（123）の一方の壁部（123a）が挿入可能な大きさに形成されている。すなわち、上記横断梁部（120）の上面は、上記溝部（120a）内に一方の壁部（123a）を挿入することで上記断面略Ｌ字状の補強部材（123）を取り付けられるようになっている。また、上記横断梁部（120）だけでなく、上記回転支持部（121）に設けられた補強リブ（122）にも、上記補強部材（123）の一方の壁部（123a）を位置付けることのできる溝部（122a）が形成されている（図１９参照）。この溝部（122a）は、上記補強リブ（122）の上部に厚み方向に延びるように設けられている。
【０１０９】
このように、上記横断梁部（120）に補強部材（123）を設けることで、該横断梁部（120）の剛性を高めることができ、該横断梁部（120）によってエアフィルタ（30）を塵埃除去手段（50）に押し付けることができる。したがって、上記エアフィルタ（30）に捕捉された塵埃を上記塵埃除去手段（50）によって確実に且つ効率良く除去することができる。
【０１１０】
さらに、上述のような構成にすることで、上記補強部材（123）を、上記横断梁部（120）に対して高さ方向にコンパクトに取り付けることができるとともに、該補強部材（123）が上記補強リブ（122）と干渉するのを防止することができる。しかも、上述のように、上記補強部材（123）を断面略Ｌ字状に形成することで、該補強部材（123）の剛性を高めることができるとともに、上記横断梁部（120）及び補強リブ（122）に一方の壁部（123a）を位置付けるための溝部（120a,122a）を一つ設ければよいため、該横断梁部（120）や補強リブ（122）の剛性低下を極力、防止することができる。
【０１１１】
図５及び図１６に示すように、上記補強部材（123）は、両端部が上記横断梁部（120）の両端から突出するように、該横断梁部（120）よりも長く形成されている。そして、上記補強部材（123）は、上記横断梁部（120）に対して上記回転支持部（121）の近傍でねじ部材（図示省略）によって固定されているとともに、両端部で上記仕切板（25）にねじ部材（図示省略）によって固定されている。上述のように、上記補強部材（123）を横断梁部（120）よりも長くすることで、該横断梁部（120）の両端部の剛性も高めることができ、該横断梁部（123）全体の剛性を高めることができる。したがって、上記横断梁部（120）の撓みや変形をより確実に防止することができ、該横断梁部（120）によってエアフィルタ（30）を確実に塵埃除去手段（50）に押し付けて該塵埃除去手段（50）によってエアフィルタ（30）に捕捉された塵埃を効率良く除去することができる。なお、上記図１７に示す符号123bは、上記補強部材（123）に設けられたねじ穴であり、上記図１８に示す符号27aは、上記ねじ穴（123b）に対応して上記横断梁部（120）に設けられたねじ穴である。
【０１１２】
また、上記補強部材（123）は、エアフィルタ（30）の周方向リブ（35,36）を押さえるフィルタ押さえ（29）とともに上記横断梁部（120）にねじ部材（図示省略）によって固定されている。すなわち、図２０に示すように、上記補強部材（123）上に上記フィルタ押さえ（29）の取付部（29a）を重ね合わせた状態で、上記横断梁部（120）にねじ部材（図示省略）によって締結固定されている。このように、フィルタ押さえ（29）を補強部材（123）とともに横断梁部（120）に取り付けることで、ねじ部材などの取付部材の部品数削減と取付工数の削減とを図ることができ、これにより、コスト低減を図れる。なお、上記図２０において、符号29bはフィルタ押さえ（29）の取付部（29a）に形成された穴部であり、符号123cは補強部材（123）に形成された穴部である。
【０１１３】
上記フィルタ押さえ（29）の取付部（29a）には、該フィルタ押さえ（29）の本体部（29c）とは反対側に、下方に向かって屈曲する係止部（29d）が設けられている。この係止部（29d）は、上記図２０に示すように、上記横断梁部（120）の上面に形成された溝部（120b）内に位置付けられていて、上記フィルタ押さえ（29）の梁部（120）幅方向への移動が規制されている。これにより、上記フィルタ押さえ（29）がエアフィルタ（30）の周方向リブ（35,36）に接触して梁部（120）幅方向の力を受けた場合でも、該フィルタ押さえ（29）が動いて所定の位置からずれるのを防止できるため、該フィルタ押さえ（29）によってエアフィルタ（30）を確実に押さえることができる。なお、上記溝部（120b）は、補強部材（123）の一方の壁部（123a）が位置付けられる溝部（120a）に対し、横断梁部（120）の幅方向反対側に形成されている。
【０１１４】
また、上記フィルタ押さえ（29）の本体部（29c）の上方には、作業者が該本体部（29c）に直接、接触しないように、庇部（124）が配設されている。この庇部（124）は、上記横断梁部（120）の側面から側方に向かって突出するように設けられたもので、上面視で上記フィルタ押さえ（29）の本体部（29c）と重なるような大きさに形成されている。これにより、上記フィルタ押さえ（29）の本体部（29c）に対して、作業者が上方から触れるのを防止でき、バネ部材としての該本体部（29c）が変形するのを防止することができる。なお、上記庇部（124）は、上記フィルタ押さえ（29）の本体部（29c）の基端部を挿通可能な挿通口が横断梁部（120）との間で形成されるように、上面視で略コの字状に形成されていて、その上面及び下面には複数の補強用のリブが立設されている。
【０１１５】
〈メンテナンス構造〉
以下で、上記本体ユニット（10）の電装品箱（20）をメンテナンスする際に、上記掃除ユニット（100）を該本体ユニット（10）に取り付けた状態で該電装品箱（20）にアクセスするための構成について説明する。
【０１１６】
具体的には、図２１〜図２３に示すように、上記掃除ユニット（100）は、エアフィルタ（30）及びサービス蓋（106）を取り外し可能に構成されていて、該サービス蓋（106）を取り外せば、上記本体ユニット（10）の電装品箱（20）にアクセスできるような位置に、該サービス蓋（106）及び電装品箱（20）が設けられている。
【０１１７】
より詳しくは、上記塵埃貯留容器（60）及びダンパボックス（81）は、上述のとおり、該ダンパボックス（81）に接続された導入用ダクト（86）の軸心を中心として回動可能に構成されていて、これにより、上記エアフィルタ（30）を取り外す際には、該塵埃貯留容器（60）及びダンパボックス（81）を該エアフィルタ（30）の側方に移動させることができる（図２２参照）。
【０１１８】
なお、上記塵埃貯留容器（60）及びダンパボックス（81）を回動させる場合には、該塵埃貯留容器（60）と塵埃捕集箱（90）との間を接続する搬送用ダクト（88）や、上記ダンパボックス（81）と化粧パネル（11）のノズル挿入部（110）とを接続する吸引用ダクト（87）（フレキシブルダクト（87b））を取り外す必要がある。そのため、容易に着脱可能なように、上記搬送用ダクト（88）の塵埃貯留容器（60）及び塵埃捕集箱（90）の接続部分（107,108）や、上記フレキシブルダクト（87b）のダンパボックス（81）（接続管（87a）との接続部分（109）は、着脱可能な構成が採用されている。
【０１１９】
また、上記掃除ユニット（100）内の塵埃捕集箱（90）は、該掃除ユニット（100）に対して着脱可能に構成されていて、該塵埃捕集箱（90）を取り外すことで、該塵埃捕集箱（90）の上方に設けられたサービス蓋（106）が露出する。このサービス蓋（106）も取り外し可能に構成されていて、図２３に示すように、エアフィルタ（30）、サービス蓋（106）の順に取り外せば、上記本体ユニット（10）内の電装品箱（20）が露出して、該電装品箱（20）のメンテナンス作業が可能になる。さらに、上述のようにサービス蓋（106）を取り外すことにより、掃除ユニット（100）の電装品箱（105）に繋がる配線（120）も露出するため、該配線（120）のメンテナンス作業も行うことができる。
【０１２０】
−運転動作−
次に、上記室内ユニット（3）における運転動作について図１１及び図１３を参照しながら説明する。上記室内ユニット（3）は、冷暖房を行う通常運転と、エアフィルタ（30）の清掃を行うフィルタ清掃運転とが切換可能に構成されている。
【０１２１】
〈通常運転〉
通常運転では、回転ブラシ（51）を回転させてそのブラシ（51b）を清掃用ブラシ（52）側に位置させる。つまり、上記回転ブラシ（51）を、該回転ブラシ（51）のブラシ（51b）がエアフィルタ（30）に接触しない位置まで回転させて、該回転ブラシ（51）の非ブラシ面（即ち、ブラシ（51b）が設けられていないシャフト（51a）の外周面）をエアフィルタ（30）に対面させる。また、ダンパボックス（81）のダンパ（82）は閉じた状態にする（図１３（Ａ）の状態）。なお、エアフィルタ（30）は回転してない停止状態である。
【０１２２】
この状態において、室内ファン（21）が駆動される。そうすると、室内ユニット（3）では、吸込口（13）から吸い込まれた室内空気がエアフィルタ（30）を通過してベルマウス（24）内へ流入する。空気がエアフィルタ（30）を通過する際、空気中の塵埃がエアフィルタ（30）のメッシュ部材（37）に捕捉される。ベルマウス（24）に流入した空気は室内ファン（21）から吹き出される。この吹出空気は、室内熱交換器（22）の冷媒と熱交換して冷却または加熱された後、各吹出口（14）から室内へ供給される。これにより、室内の冷房または暖房が行われる。この運転では、ダンパボックス（81）のダンパ（82）が閉じられているため、室内ファン（21）の吹出空気がダンパボックス（81）を通じて塵埃貯留容器（60）へ導入されることはない。
【０１２３】
このように、通常運転では、回転ブラシ（51）のブラシ（51b）とエアフィルタ（30）とが非接触状態となる。つまり、ブラシ（51b）がエアフィルタ（30）から離隔される。したがって、ブラシ（51b）がエアフィルタ（30）に接触し続けることによる劣化を防止することができ、これにより、回転ブラシ（51）の耐久性が向上する。
【０１２４】
〈フィルタ清掃運転〉
フィルタ清掃運転では、図１に示す冷媒回路において圧縮機（4）が停止されて冷媒が循環しない状態となる。このフィルタ清掃運転では、「塵埃除去動作」と「ブラシ清掃動作」と「塵埃搬送動作」と「塵埃排出動作」とが切換可能に構成されている。なお、上記「塵埃除去動作」、「ブラシ清掃動作」及び「塵埃搬送動作」の間は、化粧パネル（11）に設けられたＬＥＤ（16）が点灯するように構成されている。これにより、これらの動作を行っている旨をユーザーに対して報知することができる。
【０１２５】
「塵埃除去動作」は、エアフィルタ（30）に捕捉された塵埃を除去する動作である。「ブラシ清掃動作」は、回転ブラシ（51）に捕捉された塵埃を除去する動作である。「塵埃搬送動作」は、塵埃貯留容器（60）から塵埃捕集箱（90）に塵埃を搬送する動作である。「塵埃排出動作」は、塵埃捕集箱（90）から室内ユニット（3）外へ塵埃を排出する動作である。
【０１２６】
本実施形態では、「塵埃除去動作」と「ブラシ清掃動作」とが交互に行われる。先ず「塵埃除去動作」では、室内ファン（21）が停止される。そして、回転ブラシ（51）のブラシ（51b）をエアフィルタ（30）に接触させる。この状態において、エアフィルタ（30）は、回転ブラシ（51）のブラシ（51b）の毛を逆立てるように回転移動する（図１１（Ａ）の白抜き矢印方向）。なお、このとき回転ブラシ（51）は停止させたままである。
【０１２７】
そうすると、上記エアフィルタ（30）の塵埃が回転ブラシ（51）のブラシ（51b）に捕捉される（図１１（Ａ））。そして、フィルタ駆動手段（40）のリミットスイッチ（44）のレバー（44a）が作動すると、フィルタ駆動モータ（41）が停止してエアフィルタ（30）の回転が停止する。つまり、エアフィルタ（30）は所定角度だけ回転して停止する。したがって、エアフィルタ（30）において回転ブラシ（51）のブラシ（51b）と接触した領域の塵埃が除去される。ここで、上記ブラシ（51b）は、エアフィルタ（30）の回転方向（移動方向）に対して逆立つように傾斜して植毛されているため、該エアフィルタ（30）の塵埃はブラシ（51b）によって容易に掻き取られる。よって、回転ブラシ（51）による塵埃の除去効率を向上させることができる。上述のように、上記エアフィルタ（30）の回転が停止すると、「塵埃除去動作」から「ブラシ清掃動作」に切り換わる。
【０１２８】
「ブラシ清掃動作」では、引き続き室内ファン（21）が停止した状態で、まず上記回転ブラシ（51）が図１１において左回り（反時計回り）に回転する。その際、上記回転ブラシ（51）は、ブラシ（51b）に塵埃を捕捉したまま、清掃用ブラシ（52）に対してブラシ部（51b,52b）同士が接触するように回転する（図１１（Ｂ））。上記回転ブラシ（51）は、所定の回転角度だけ回転した後、停止する。
【０１２９】
その後、上記回転ブラシ（51）は、上述の回転方向とは逆回り（図１１において右回り（時計回り））に回転する。そうすると、上記回転ブラシ（51）のブラシ（51b）に捕捉されていた塵埃は、上記清掃用ブラシ（52）のブラシ（52b）によって除去される（図１１（Ｃ））。これは、上記清掃用ブラシ（52）のブラシ（52b）の毛並みが下向き、すなわち回転ブラシ（51）の時計回りの回転によって逆立つように傾斜して植毛されているため、該清掃用ブラシ（52）によって回転ブラシ（51）のブラシ（51b）に付着した塵埃が掻き取られるからである。
【０１３０】
また、上記回転ブラシ（51）及び清掃用ブラシ（52）のブラシ部（51b,52b）同士が接触することによって、該清掃用ブラシ（52）の本体部（52a）が上記回転ブラシ（51）と離間する方向へ押されるが、該本体部（52a）はバネ部（52c）によって回転ブラシ（51）側へ付勢されているため、ブラシ部（51b,52b）同士が離隔することはなく、清掃用ブラシ（52）が適切に回転ブラシ（51）に押し付けられる。したがって、上記回転ブラシ（51）のブラシ（51b）から塵埃をより確実に除去して、上記清掃用ブラシ（52）のブラシ（52b）に塵埃を捕捉することができる。なお、上記回転ブラシ（51）は、元の状態（図１１（Ａ）の状態）の位置まで回転して停止する。
【０１３１】
続いて、上記回転ブラシ（51）は、再び左回り（反時計回り）に所定の回転角度だけ回転する。そうすると、上記清掃用ブラシ（52）のブラシ（52b）に捕捉されていた塵埃が回転ブラシ（51）のブラシ（51b）によって掻き取られ、塵埃貯留容器（60）の貯留部（62）に落下する（図１１（Ｄ））。すなわち、上記回転ブラシ（51）のブラシ（51b）の毛並みが回転方向に沿うように傾斜しているため、上記清掃用ブラシ（52）のブラシ（52b）から塵埃を掻き取ることができる。その際も、上記清掃用ブラシ（52）は、バネ部（52c）によって回転ブラシ（51）側に適切に押し付けられるため、該清掃用ブラシ（52）から塵埃をより確実に除去することができる。
【０１３２】
以上により、回転ブラシ（51）に捕捉された塵埃は除去され、塵埃貯留容器（60）の貯留部（62）に貯留される。その後、回転ブラシ（51）は再び右回り（時計回り）に回転して元の状態（図１１（Ａ））に戻り、「ブラシ清掃動作」が一旦終了する。
【０１３３】
上述のような「ブラシ清掃動作」が終了すると、再び上述した「塵埃除去動作」が行われる。つまり、再びエアフィルタ（30）が回転され、リミットスイッチ（44）のレバー（44a）が再び作動するとエアフィルタ（30）が停止する。これにより、エアフィルタ（30）において回転ブラシ（51）のブラシ（51b）を通過した領域の塵埃が回転ブラシ（51）のブラシ（51b）に捕捉される（図１１（Ａ））。このように、「塵埃除去動作」と「ブラシ清掃動作」とが交互に繰り返すことにより、エアフィルタ（30）の所定領域毎に塵埃が除去されていく。そして、上記エアフィルタ（30）の全領域において塵埃が除去されると、「塵埃除去動作」および「ブラシ清掃動作」が完全に終了する。例えば、リミットスイッチ（44）のレバー（44a）が所定回数作動すると、エアフィルタ（30）が１回転したと判断して上記動作が終了する。
【０１３４】
ところで、上述した「塵埃除去動作」および「ブラシ清掃動作」時には、貯留量検出手段（70）によって塵埃貯留容器（60）における塵埃貯留量が検出される。つまり、発光ＬＥＤ（72）による光の光度がフォトトランジスタ（73）によって検出される。そして、フォトトランジスタ（73）の検出光度が設定値（下限値）以下になると、塵埃貯留容器（60）における塵埃量が所定量に達したとして、「塵埃搬送動作」に切り換えられる。
【０１３５】
「塵埃搬送動作」では、回転ブラシ（51）が図１１（Ａ）の状態で停止されると共に、エアフィルタ（30）が停止状態になる。また、ダンパボックス（81）のダンパ（82）が開状態（図１３（Ｂ）の状態）になる。この状態において、室内ファン（21）が駆動されることにより、室内ファン（21）の吹出空気は、導入用ダクト（86）およびダンパボックス（81）を介して塵埃貯留容器（60）内へ導入される。これにより、塵埃貯留容器（60）の塵埃が空気と共に搬送用ダクト（88）を介して塵埃捕集箱（90）内へ搬送される。そうすると、上記塵埃貯留容器（60）において塵埃の貯留量が減少し、フォトトランジスタ（73）の検出光度が高くなる。そして、その検出光度が設定値（上限値）以上になると、塵埃貯留容器（60）における塵埃が殆ど排出されたとして、「塵埃搬送動作」が終了する。その後、「塵埃除去動作」または「ブラシ清掃動作」が再開される。
【０１３６】
本実施形態のフィルタ清掃運転では、所定条件によって「塵埃排出動作」が行われる。すなわち、上記「塵埃搬送動作」でダンパ（82）を開いた後に、発光ＬＥＤ（72）を点灯させて、その光度を検出し、光度が所定値よりも低ければ、上記塵埃貯留容器（60）内の塵埃が室内ファン（21）の吹出空気によって搬送されていない、すなわち、塵埃貯留容器（60）から塵埃捕集箱（90）までの搬送路で塵埃が詰まっているか、若しくは該塵埃捕集箱（90）内に多量の塵埃が捕集されていると判断して、化粧パネル（11）のＬＥＤ（16）を点灯させてユーザーにその旨を報知し、リモコン操作等に応じて、以下のような「塵埃排出動作」を行う。なお、このような、ダンパ（82）の動きと連動させて上記発光ＬＥＤ（72）の光度を検出する動作（以下、満タン・詰まり検出動作ともいう）は、例えば１週間に１回など、定期的に行われる。
【０１３７】
「塵埃排出動作」では、上述した「塵埃搬送動作」と同様に、回転ブラシ（51）が図１１（Ａ）の状態で停止されると共に、エアフィルタ（30）が停止状態になる。また、ダンパボックス（81）のダンパ（82）が閉状態（図１３（Ｃ）の状態）になる。
【０１３８】
上述の状態において、ユーザーによって掃除機のノズルを化粧パネル（11）のノズル挿入部（110）に挿入した状態で、吸引動作を行う。この吸引動作により、塵埃捕集箱（90）内の塵埃が搬送用ダクト（88）、塵埃貯留容器（60）、ダンパボックス（81）、吸引用ダクト（87）及びノズル挿入部（110）を介して掃除機へ吸い込まれる。その際、塵埃貯留容器（60）内に残っていた塵埃も吸引用ダクト（87）を介して掃除機へ吸い込まれる。その結果、塵埃捕集箱（90）および塵埃貯留容器（60）の塵埃が室内ユニット（3）外へ排出される。
【０１３９】
なお、上述のような満タン・詰まり検出動作は、一旦、光度が所定値よりも小さいと判定された場合には、上記「塵埃排出動作」によって塵埃の詰まりが無くなり且つ塵埃捕集箱（90）内の塵埃が少なくなるまで、すなわち上記発光ＬＥＤ（72）の光度が所定値以上になる場合まで、所定間隔で定期的に行われ、該光度が所定値以上になった場合には、上記化粧パネル（11）のＬＥＤ（16）を消灯する。その後は、通常の満タン・詰まり検出動作を例えば１週間に１回、行う。
【０１４０】
−実施形態の効果−
以上より、この実施形態では、室内ファン（21）の吸込側に位置する仕切板（25）の通気孔（26）に、エアフィルタ（30）を押さえるための複数の径方向梁部（27）を設けるとともに、２本の径方向梁部（27）が直線状に並んで形成される横断梁部（120）の長手方向に沿って、断面略Ｌ字状の補強部材（123）を設けたため、該横断梁部（120）の剛性を高めることができ、該横断梁部（120）が撓んだり変形したりするのを防止できる。したがって、エアフィルタ（30）を塵埃除去手段（50）に確実に押し付けることができ、該エアフィルタ（30）に捕捉された塵埃を塵埃除去手段（50）によって確実に且つ効率良く除去することができる。
【０１４１】
すなわち、上記横断梁部（120）の長手方向中央部分には、円形状のエアフィルタ（30）を回転可能に支持するための回転支持部（121）が設けられていて、該横断梁部（120）はエアフィルタ（30）の重みによって下方に撓みやすくなるが、上記補強部材（123）を設けることで、上記横断梁部（120）の剛性を高めて該横断梁部（120）の変形を防止することができる。
【０１４２】
また、上記補強部材（123）を、横断梁部（120）の両端から突出するように該横断梁部（120）よりも長く形成することで、横断梁部（120）の両端部の剛性も高めることができ、該横断梁部（120）全体の剛性を高めることができる。これにより、上記横断梁部（120）の撓みや変形をより確実に防止することができ、該横断梁部（120）によってエアフィルタ（30）をより確実に押さえて該エアフィルタ（30）に捕捉された塵埃を塵埃除去手段（50）によってより確実に且つ効率良く除去することができる。
【０１４３】
しかも、上記補強部材（123）は、その一方の壁部（123a）が上記横断梁部（120）の上面に形成された溝部（120a）内に位置付けられるように配置されるため、該横断梁部（120）に対して補強部材（123）を高さ方向にコンパクトに取り付けることができ、室内ユニット（3）のコンパクト化を図れる。
【０１４４】
また、上記補強部材（123）を断面略Ｌ字状にすることで、該補強部材（123）の剛性を高めることができ、これにより、該補強部材（123）が取り付けられる横断梁部（120）の剛性もより確実に高めることができるとともに、上記横断梁部（120）に溝部（120a）を一つだけ設ければよいので、該横断梁部（120）の剛性低下を極力防止できる。さらに、上記回転支持部（121）には、剛性を高めるための補強リブ（122）が上記横断梁部（120）の延伸方向と交差する方向に延びるように設けられているが、上述のように補強部材（123）を断面略Ｌ字状にすることで、上記補強リブ（122）に一つだけ溝部（122a）を設ければよいため、該補強リブ（122）の剛性低下を極力、防止することができる。
【０１４５】
《その他の実施形態》
上記実施形態は、以下のように構成してもよい。
【０１４６】
上記実施形態では、エアフィルタ（30）は、円形状に形成されているが、この限りではなく、例えば矩形状に形成されていてもよい。この場合には、上記エアフィルタ（30）及び回転ブラシ（51）は直線的に相対移動し、回転支持部（121）等は不要になる。
【０１４７】
また、上記実施形態では、補強部材（123）を断面略Ｌ字状にしているが、この限りではなく、例えば断面略コの字状や平板状など、横断梁部（120）を補強できるような構成であればどのような構成であってもよい。
【０１４８】
また、上記実施形態では、径方向梁部（27）を３本、設けているが、この限りではなく、４本以上設けてもよい。この径方向梁部の本数は、エアフィルタ（30）の支持強度や通気孔（26）の通風抵抗等を考慮して決められる。
【産業上の利用可能性】
【０１４９】
以上説明したように、本発明は、室内ファンの吸込側にエアフィルタが設けられた空気調和装置の室内ユニットに特に有用である。
【図面の簡単な説明】
【０１５０】
【図１】図１は、本発明の実施形態に係る室内ユニットを備えた空気調和装置の構成を示す配管系統図である。
【図２】図２は、室内ユニット内の構成を示す縦断面図である。
【図３】図３は、室内ユニットを各ユニットに分解した状態を示す分解斜視図である。
【図４】図４は、図２におけるIV-IV線断面図である。
【図５】図５は、仕切板の通気孔、エアフィルタ及び塵埃貯留容器の構成を示す斜視図である。
【図６】図６は、エアフィルタの取付構造を示す断面図である。
【図７】図７は、フィルタ駆動手段の構成を示す斜視図である。
【図８】図８は、塵埃除去手段及び塵埃貯留容器を上方から見た斜視図である。
【図９】図９は、塵埃貯留容器を下方から見た斜視図である。
【図１０】図１０は、図８におけるX-X線断面図である。
【図１１】図１１は、図８におけるXI-XI線断面において、塵埃除去動作時及びブラシ清掃動作時の回転ブラシの動作を示す図である。
【図１２】図１２は、導入用ダクトの拡大断面図である。
【図１３】図１３は、塵埃搬送手段のダンパの動作を示す断面図である。
【図１４】図１４は、室内側から見た化粧パネルの一部分を切り欠いて示す部分断面図である。
【図１５】図１５は、ダンパボックスとノズル挿入部との接続関係を模式的に示す斜視図である。
【図１６】図１６は、掃除ユニット内の塵埃除去手段や塵埃捕集箱等を取り外した状態を示す下面図である。
【図１７】図１７は、上方から見た横断梁部の中央部分を拡大して示す斜視図である。
【図１８】図１８は、図１７におけるXVIII-XVIII線断面である。
【図１９】図１９は、図１７におけるXIX-XIX線断面図である。
【図２０】図２０は、図１７におけるXX-XX線断面図である。
【図２１】図２１は、本体ユニットと掃除ユニットとを組み合わせた状態を示す斜視図である。
【図２２】図２２は、掃除ユニット内から塵埃捕集箱を取り外した状態を示す斜視図である。
【図２３】図２３は、掃除ユニット内からエアフィルタ及びサービス蓋を取り外した状態を示す斜視図である。
【符号の説明】
【０１５１】
1       空気調和装置
3       室内ユニット
10      本体ユニット
18      本体ケーシング（ケーシング）
21      室内ファン
22      室内熱交換器
25      仕切板
26      通気孔（開口）
27      径方向梁部（梁部）
29      フィルタ押さえ（押さえ部）
30      エアフィルタ
50      塵埃除去手段
100     掃除ユニット
101     チャンバケーシング（ケーシング）
120     横断梁部（梁部）
120a    溝部
121     回転支持部
122     補強リブ
123     補強部材
123a    壁部
【図１】
0004905368.tif 000002
【図２】
0004905368.tif 000003
【図３】
0004905368.tif 000004
【図４】
0004905368.tif 000005
【図５】
0004905368.tif 000006
【図６】
0004905368.tif 000007
【図７】
0004905368.tif 000008
【図８】
0004905368.tif 000009
【図９】
0004905368.tif 000010
【図１０】
0004905368.tif 000011
【図１１】
0004905368.tif 000012
【図１２】
0004905368.tif 000013
【図１３】
0004905368.tif 000014
【図１４】
0004905368.tif 000015
【図１５】
0004905368.tif 000016
【図１６】
0004905368.tif 000017
【図１７】
0004905368.tif 000018
【図１８】
0004905368.tif 000019
【図１９】
0004905368.tif 000020
【図２０】
0004905368.tif 000021
【図２１】
0004905368.tif 000022
【図２２】
0004905368.tif 000023
【図２３】
0004905368.tif 000024